(57)【要約】      （修正有）【課題】簡単な構成で、隔離フィルムが内容物の取り出しを阻害することがなく、充填速度の低下や打栓時に注出容器から内容物の漏出がない注出容器を提供すること。【解決手段】内容物Ｓを注出する注出口１１２が設けられた口部１１１と、口部１１１から下方に延びる胴部と、胴部から下方に延びる底部１２０とを有し、容器を傾けることで内容物Ｓを注出する注出容器１００であって、底部１２０は、吸気孔と、吸気孔を開閉可能な吸気弁１２６とを有し、該注出容器１００は、吸気孔を介して外部と連通し、空気室を形成する隔離フィルム１１７をさらに有していること。【選択図】図６
2018122918.tif 000002
【特許請求の範囲】
【請求項１】
内容物を注出する注出口が設けられた口部と、前記口部から下方に延びる胴部と、前記胴部から下方に延びる底部とを有し、容器を傾けることで内容物を注出する注出容器であって、
前記底部は、吸気孔と、前記吸気孔を開閉可能な吸気弁とを有し、
該注出容器は、前記吸気孔を介して外部と連通して空気室を形成する隔離フィルムをさらに有していることを特徴とする注出容器。
【請求項２】
前記隔離フィルムは、前記底部に接続されていることを特徴とする、請求項１に記載の注出容器。
【請求項３】
前記隔離フィルムは、前記吸気弁に接続されていることを特徴とする、請求項１または請求項２に記載の注出容器。
【請求項４】
前記底部は、底壁部及び前記底壁部の下端に接続された底面を有すると共に、前記底面には上方に盛り上がった底面凸部が形成されていることを特徴とする、請求項１乃至請求項３のいずれかに記載の注出容器。
【請求項５】
前記吸気弁は、前記吸気孔よりも径が大きい平板状に形成された圧力板と、前記圧力板の中央から突出し、前記吸気孔を摺動可能な摺動部と、前記圧力板及び前記摺動部を閉栓方向に付勢する付勢部材とを有していることを特徴とする、請求項１乃至請求項４のいずれかに記載の注出容器。
【請求項６】
少なくとも前記底部を含む部分は、前記口部を含む部分と別体として構成されていることを特徴とする、請求項１乃至請求項５のいずれかに記載の注出容器。
【請求項７】
前記摺動部の外周面には、前記圧力板から突出方向に向かって延びる通気溝が設けられていることを特徴とする請求項５に記載の注出容器。
【請求項８】
前記摺動部の先端には、前記吸気孔よりも径が大きく前記吸気孔の外側から前記吸気弁を開栓方向へ押圧可能な開口ボタンが設けられていることを特徴とする請求項５乃至請求項７のいずれかに記載の注出容器。
【請求項９】
前記注出口には、前記注出口に嵌着する注出アダプターが設けられ、
前記注出アダプターには、該注出容器内外を連通し、前記注出口の内径よりも小径な連通孔が設けられていることを特徴とする請求項１乃至請求項８のいずれかに記載の注出容器。
【請求項１０】
該注出容器は、可撓性のない非弾性体で構成されていることを特徴とする、請求項１乃至請求項９のいずれかに記載の注出容器。
【発明の詳細な説明】
【技術分野】
【０００１】
本発明は、容器を傾けることで内容物を注出する、注出容器に関する。
【背景技術】
【０００２】
従来、容器を傾けることで内容物を注出する注出容器であって、注出に伴って流入する空気を内容物と隔離する構造の注出容器が公知である。
例えば、吸気孔（空気取り入れ口５）と連通孔（ワイン取り出し口８）を有し、吸気孔（空気取り入れ口５）に隔離フィルム（袋状隔膜１）を接続した注出アダプター（安定注出器）を、隔離フィルム（袋状隔膜１）が注出容器内に収容されるように注出容器の注出口に取り付けた注出容器が特許文献１で公知である。この特許文献１で公知の注出容器は、連通孔（ワイン取り出し口８）の先に逆止弁（球６、球止め７）をさらに有しており、注出容器を傾けることで内容物（ワイン１０）を取り出す際、注出容器内に流入しようとする空気を吸気孔（空気取り入れ口５）から取り入れることで、隔離フィルム（袋状隔膜１）が取り入れた空気により膨らみ、注出容器内の内容物（ワイン１０）が取り出された分の空間を補填する。これによって、注出容器内に残った内容物（ワイン１０）に直接空気が触れることがなく、内容物（ワイン１０）の劣化を防止することができ、また、連通孔（ワイン取り出し口８）を空気が通過することがないため、内容物（ワイン１０）取り出し時の脈動を防ぐことができる。
【先行技術文献】
【特許文献】
【０００３】
【特許文献１】特許公開平２−５７５６７号公報
【発明の概要】
【発明が解決しようとする課題】
【０００４】
ところが、上記特許文献１で公知の注出容器は、未だ改善の余地があった。すなわち、隔離フィルム（袋状隔膜１）が注出アダプター（安定注出器）に設けられているため、空気を取り込んで膨らんだ隔離フィルム（袋状隔膜１）が注出容器の口部周辺を塞ぎ、内容物（ワイン１０）の取り出しを阻害する虞があった。
【０００５】
また、内容物（ワイン１０）充填前に注出アダプター（安定注出器）を取り付ける場合、注出アダプター（安定注出器）に設けられた連通孔（ワイン取り出し口８）から内容物（ワイン１０）を充填するため、注出アダプター（安定注出器）を取り付けていない状態での充填に比べて時間がかかってしまい、生産速度が低下してしまう虞があった。
また、内容物（ワイン１０）充填後に注出アダプター（安定注出器）を取り付ける場合、注出アダプター（安定注出器）や隔離フィルム（袋状隔膜１）が注出容器内に入る分、内容物（ワイン１０）が注出容器から溢れ出てしまう虞や、予め溢れ出ない量の内容物（ワイン１０）を充填するにしても、収縮した隔離フィルム（袋状隔膜１）の折り目部分等に空気が巻き込まれ、内容物（ワイン１０）内に混ざってしまう虞があった。
【０００６】
また、連通孔（ワイン取り出し口８）が小径であり、内容物（ワイン１０）を取り出す際に容器を大きく傾ける必要があるため、内容物（ワイン１０）をごく少量取り出したい場合、注出容器を傾ける角度の調節のみでは必要量以上の内容物（ワイン１０）を取り出してしまう虞があった。
【０００７】
本発明は、これらの問題点を解決するものであり、簡単な構成で、隔離フィルムが内容物の取り出しを阻害することがなく、充填速度の低下や打栓時に注出容器から内容物の漏出がない注出容器を提供することを目的とするものである。
【課題を解決するための手段】
【０００８】
本発明の注出容器は、内容物を注出する注出口が設けられた口部と、前記口部から下方に延びる胴部と、前記胴部から下方に延びる底部とを有し、容器を傾けることで内容物を注出する注出容器であって、前記底部は、吸気孔と、前記吸気孔を開閉可能な吸気弁とを有し、該注出容器は、前記吸気孔を介して外部と連通して空気室を形成する隔離フィルムをさらに有していることにより、前記課題を解決するものである。
【発明の効果】
【０００９】
請求項１に係る注出容器によれば、吸気孔と、吸気孔を開閉可能な吸気弁とは、底部に設けられており、吸気孔を介して外部と連通して空気室を形成する隔離フィルムをさらに有していることで、注出容器の口部に干渉せず、内容物の充填を阻害することがなく、内容物を充填する前に注出容器内に隔離フィルムが設けられているため、注出容器の口部に栓をしても、内容物が溢れ出るようなことがない。
また、注出容器から内容物を取り出す際、内容物が取り出されることで注出容器内に発生する空隙を、吸気孔から空気室へ外気を取り込むことで補填するため、注出容器の口部から空気が流入し、内容物が空気に直接触れることがなく、内容物の劣化を防ぐことができる。
また、吸気孔には、吸気孔を開閉可能な吸気弁が設けられているため、必要量の内容物を取り出し終えて注出容器を静置した際に、吸気弁を閉栓することで、膨らんだ隔離フィルムを内容物が圧迫しても、吸気孔から空気室内の空気が注出容器外へ流出することがない。
【００１０】
請求項２に記載の構成によれば、隔離フィルムは底部に接続されているため、隔離フィルムの下方に内容物が滞留せず、内容物を取り出す際に、隔離フィルムによる流路の閉塞を防ぐことができる。
【００１１】
請求項３に記載の構成によれば、隔離フィルムは、吸気弁に接続されているため、非圧縮性の液体である内容物が常に吸気弁付近まで存在し、注出容器から内容物を取り出した際、隔離フィルムの吸気弁に接続された箇所が内容物の動きに迅速に追従して吸気弁を素早く開放方向へ動作させるため、吸気弁に隔離フィルムが接続されていない場合に比べて、空気室内に吸気を開始するまでの応答速度を向上させることができる。
【００１２】
請求項４に記載の構成によれば、底部の底面に上方に盛り上がった底面凸部を形成することで、底面の下面側に凹状の空間を設けることができ、これによって、吸気弁を底面の下端よりも下方に突出しない位置に設けることができるため、吸気弁に干渉することなく注出容器を安定して正立できるとともに、吸気弁の誤操作を防止できる。
【００１３】
請求項５に記載の構成によれば、吸気弁は、吸気孔よりも径が大きい平板状に形成された圧力板と、圧力板の中央から突出し、吸気孔を摺動可能な摺動部と、圧力板及び摺動部を閉栓方向に付勢する付勢部材とを有しているため、吸気弁は逆止弁として機能し、必要量の内容物を取り出し終えた際、付勢部材によって迅速に吸気孔を閉栓することで、内容物が隔離フィルムを圧迫しても、空気室内の空気が注出容器外へ流出することを防止できる。
【００１４】
請求項６に記載の構成によれば、少なくとも底部を含む部分は、口部を含む部分と別体として構成されているため、隔離フィルムや吸気弁を底部に取り付ける際に、狭い口部を通過することなく底部に直接取り付け作業をすることができる。
【００１５】
請求項７に記載の構成によれば、摺動部の外周面には、圧力板から突出方向に向かって延びる通気溝が設けられているため、より迅速に吸気できる。
【００１６】
請求項８に記載の構成によれば、摺動部の先端には、吸気孔よりも径が大きく、吸気孔の外側から吸気弁を開栓方向へ押圧可能な開口ボタンが設けられているため、内容物の充填時に開口ボタンを押圧しておくことで、空気室内の空気を排出しながら内容物を注出容器内に十分に充填することができる。
【００１７】
請求項９に記載の構成によれば、注出口には、注出口に嵌着する注出アダプターが設けられ、注出アダプターには、注出容器内外を連通し、注出口の内径よりも小径な連通孔が設けられているため、内容物を取り出す際、連通孔からの空気の流入を防ぐことができる。
【００１８】
請求項１０に記載の構成によれば、注出容器は、可撓性のない非弾性体で構成されているため、不意に外部から注出容器を押す力が発生しても、注出容器は変形せず、注出容器内の内容液や空気室内に取り込んだ外気が漏れ出すことがない。
【図面の簡単な説明】
【００１９】
【図１】本発明の一実施形態に係る注出容器１００の正面図及び断面図。
【図２】本発明の一実施形態に係る容器上部１１０の、注出アダプター１４０周辺の拡大断面図。
【図３】本発明の一実施形態に係る底部１２０及び吸気弁１２６の部品図及び組立図。
【図４】本発明の一実施形態に係る底部１２０の、吸気弁１２６の閉止状態及び開放状態を示す断面図。
【図５】本発明の一実施形態に係る注出容器１００の、空気室１１６内に空気が流入した状態の断面図。
【図６】本発明の一実施形態に係る注出容器１００内に、内容物Ｓを充填する過程を示す断面図。
【図７】本発明の一実施形態に係る注出容器１００内の、内容物Ｓを取り出す過程を示す断面図。
【発明を実施するための形態】
【００２０】
以下に、本発明の一実施形態に係る注出容器１００について、図面に基づいて説明する。
注出容器１００は、内容物Ｓを注出する注出口１１２が設けられた口部１１１と、口部１１１から下方に延びる胴部１１３と、胴部１１３から下方に延びる底部１２０とを有し、容器を傾けることで内容物Ｓを注出するものであって、注出に伴って流入する外気Ａを内容物Ｓと隔離する構造の注出容器１００であり、図１に示すように、口部１１１及び胴部１１３を有する容器上部１１０と、底壁部１２１及び底壁部１２１の下端に接続された底面１２３を有する底部１２０とが接続可能に構成されている。
【００２１】
容器上部１１０の口部１１１は、図２に示すように、口部１１１を介して注出容器１００の内外を連通する連通孔１４１を有した注出アダプター１４０が嵌合可能に構成されている。
また、連通孔１４１は、密閉栓１４２が嵌合可能に構成されており、連通孔１４１に密閉栓１４２が嵌合することで、連通孔１４１を介した注出容器１００の内外の連通を遮断することができる。
胴部１１３の下端には、外径が胴部１１３の外径よりも径が小さく形成された円筒状の下部接続部１１４が設けられている。
【００２２】
底部１２０の底面１２３には、図１、図３及び図４に示すように、底面１２３の中央付近に上方に盛り上がった底面凸部１２４が形成されており、底面凸部１２４の中心部には吸気孔１２５が設けられ、吸気孔１２５は吸気弁１２６によって塞がれている。
また、底壁部１２１の上端には、内径が底壁部１２１の内径よりも径が大きく形成された円筒状の上部接続部１２２が設けられており、胴部１１３の下部接続部１１４は、底壁部１２１の上部接続部１２２と圧入嵌合することで、容器上部１１０と底部１２０との境界を隙間なく接続され閉塞される。
【００２３】
吸気弁１２６は、図３及び図４に示すように、吸気孔１２５の内径よりも径が大きく吸気孔１２５の内側から吸気孔１２５を閉栓可能な円板状の圧力板１２７と、圧力板１２７の中央部から下方に突出し、吸気孔１２５内を摺動可能な摺動部１２９と、吸気弁１２６を閉栓方向へ付勢する付勢部材である閉塞バネ１３１と、開口ボタン１３２とを有している。
圧力板１２７の外周縁部には、下方に突出した環状の閉塞リング１２８が設けられており、閉塞リング１２８が吸気孔１２５の周囲の底面凸部１２４の上面に当接することによって、吸気孔１２５からの外気Ａの注出容器１００内への流入を防ぐことができる。
開口ボタン１３２は、押圧板１３４と押圧板１３４から上方に突出する係合筒部１３５とを有しており、係合筒部１３５の内面にはネジが形成されている。
【００２４】
摺動部１２９は、その外周面に圧力板１２７から突出方向に向かって延びる通気溝１３０を有しており、摺動部１２９の先端部、吸気孔１２５よりも外方に突出する端部の外面にはネジが形成されており、開口ボタン１３２の係合筒部１３５とネジ係合されている。
閉塞バネ１３１は、係合筒部１３５と摺動部１２９とのネジ係合部分を内包して、底面凸部１２４と開口ボタン１３２とに挟まれる位置に設けられ、開口ボタン１３２を底面凸部１２４から遠ざけるように常に付勢している。
閉塞リング１２８は、開口ボタン１３２とネジ係合している摺動部１２９とともに閉塞バネ１３１により付勢され、吸気孔１２５の周囲の底面凸部１２４の上面に密着することで、吸気孔１２５を介した注出容器１００の内外との連通を遮断することができる。
また、開口ボタン１３２の吸気孔１２５側の係合筒部１３５の端部には、切欠き部１３３が形成されている。
【００２５】
注出容器１００内は、図５に示すように、内容物Ｓを充填・保管する貯留室１１５と、吸気孔１２５から取り込んだ外気Ａを保持する空気室１１６とが設けられ、貯留室１１５と空気室１１６とは、薄いフィルム状に形成された隔離フィルム１１７によって隔たれている。
隔離フィルム１１７は、中央付近が圧力板１２７の天面に接続されているとともに、外周縁部が底壁部１２１の底面１２３からの立ち上がり部分に全周にわたって接続されている。なお、両者の接続方法は接着や溶着等が好ましい。
【００２６】
次に、注出容器１００への内容物Ｓの充填について、図６に基づいて説明する。
まず、充填ノズル（図示しない）を口部１１１の注出口１１２に合わせて、図６（ａ）に示すように、内容物Ｓを注出容器１００の貯留室１１５内に充填する。
このとき、注出アダプター１４０は注出口１１２にまだ取り付けられておらず、注出口１１２は連通孔１４１に比べて大きく開口しているため、迅速に内容物Ｓの充填が可能となる。
【００２７】
また、容器上部１１０と底部１２０とは、下部接続部１１４が上部接続部１２２と圧入嵌合することで、容器上部１１０と底部１２０との境界を隙間なく接続されているため、注出容器１００内に内容物Ｓを充填しても、容器上部１１０と底部１２０との接続部から内容物Ｓが注出容器１００外へ漏れ出すことがない。
また、内容物Ｓの充填前に空気室１１６内に外気Ａが流入していた場合、内容物Ｓの充填中に吸気弁１２６の開口ボタン１３２を押し開放しておくことで、充填された内容物Ｓによって隔離フィルム１１７越しに空気室１１６が圧迫され、吸気孔１２５から空気室１１６内の余分な外気Ａを注出容器１００外へ排出でき、図６（ｂ）に示すように、所定量の内容物Ｓを、注出容器１００外へ溢れさせることなく確実に貯留室１１５内に充填することができる。
【００２８】
所定量の内容物Ｓを貯留室１１５内に充填した後、図６（ｃ）に示すように、注出口１１２に注出アダプター１４０及び密閉栓１４２を嵌合させることで、注出容器１００への内容物Ｓの充填及び注出容器１００の密閉が完了する。
【００２９】
次に、注出容器１００からの内容物Ｓの取り出しについて、図７に基づいて説明する。なお、説明のため、注出容器１００は静置したままの図を用いる。
まず、密閉栓１４２を注出アダプター１４０から取り去り、注出容器１００を傾けると、内容物Ｓは自重によって連通孔１４１を通過し注出容器１００外へ取り出される。
【００３０】
このとき、注出容器１００内は、内容物Ｓが取り出された分負圧状態となるため、外気Ａを吸引しようとする力が発生するが、注出口１１２は連通孔１４１によって開口面積を狭めてあるとともに、吸気弁１２６が外気Ａを吸引しようとする力によって開放されるため、口部１１１側から貯留室１１５内に外気Ａが流入せず、図７（ａ）に示すように、空気室１１６にのみ底部１２０の吸気孔１２５（通気溝１３０）を介して外気Ａが流入する。
これによって、貯留室１１５内の内容物Ｓには、外気Ａが直接触れることはないため、貯留室１１５内の内容物Ｓの劣化を防ぐことができる。
【００３１】
また、隔離フィルム１１７の中央部は圧力板１２７に接続されているため、内容物Ｓが非圧縮性の液体である場合、内容物Ｓは常に圧力板１２７付近まで存在し、内容物Ｓを注出容器１００外へ取り出し始めた際に、隔離フィルム１１７越しに圧力板１２７が内容物Ｓの動きに迅速に追従して吸気弁１２６を素早く開放方向へ動作させる。
これによって、圧力板１２７に隔離フィルム１１７が接続されていない場合に比べて、空気室１１６内に吸気を開始するまでの応答速度を向上できる。
さらに、吸気弁１２６の圧力板１２７の外周縁部には、下方に突出した環状の閉塞リング１２８が設けられており、吸気弁１２６の摺動部１２９には、圧力板１２７から突出方向に向かって延びる通気溝１３０が設けられているため、吸気孔１２５は通気溝１３０によって開口しており、閉塞リング１２８と底面凸部１２４との接触状態のみで吸気弁１２６の開閉が可能であることから、圧力板１２７の動作に対してより迅速に吸気弁１２６を開閉することができる。
【００３２】
また、吸気弁１２６開放後は内容物Ｓが取り出される度に吸気孔１２５（通気溝１３０）から迅速に外気Ａが補填されるため、より確実に連通孔１４１からの外気Ａの流入が防止でき、内容物Ｓ取り出し時の脈動を防ぐことができる。
さらに、開口ボタン１３２の吸気孔１２５側の係合筒部１３５の端部には切欠き部１３３が設けられているため、吸気時に底面凸部１２４と開口ボタン１３２とが密着しても、切欠き部１３３から空気室１１６へ吸気が可能となり、開口ボタン１３２を押し込み過ぎる等の不意な吸気弁１２６の閉塞による、連通孔１４１からの貯留室１１５内への外気Ａの取り込みを防ぐことができる。
【００３３】
内容物Ｓがさらに注出容器１００外へ取り出されると、図７（ｂ）に示すように、隔離フィルム１１７は取り込んだ外気Ａによって膨らむため、貯留室１１５の容積は縮小し、空気室１１６の容積が拡大する。
このとき、隔離フィルム１１７は、中央付近が圧力板１２７の天面に接続されているとともに、外周縁部が底壁部１２１の底面１２３からの立ち上がり部分に全周にわたって接続されており、隔離フィルム１１７の下に内容物Ｓが潜り込むような大きな隙間が発生しないため、注出容器１００内の内容物Ｓが少なくなっても、隔離フィルム１１７が内容物Ｓを取り出すための流路を閉塞することがなく、確実に内容物Ｓの全量を注出容器１００から取り出すことができる。
【００３４】
また、内容物Ｓの全量を注出容器１００から取り出さずに貯留室１１５内に保管する場合においても、内容物Ｓが隔離フィルム１１７越しに空気室１１６を圧迫するが、図７（ｃ）に示すように、吸気弁１２６は開口ボタン１３２を押され続けていない限り、閉塞バネ１３１の付勢力と、隔離フィルム１１７越しに圧力板１２７に受ける内容物Ｓの自重によって閉栓方向に付勢されるため、空気室１１６内に流入した外気Ａは空気室１１６内に留まり、空気室１１６の容積を保持する。
これによって、貯留室１１５の容積が拡大することはなく、密閉栓１４２を嵌合しないまま、内容物Ｓの残っている注出容器１００を静置しても、連通孔１４１から貯留室１１５内に外気Ａが取り込まれることはない。
【００３５】
必要量の内容物Ｓを注出容器１００から取り出し、注出容器１００を静置した後、連通孔１４１に密閉栓１４２を圧入嵌合させることで、連通孔１４１は閉栓され、次に内容物Ｓを取り出す機会まで、貯留室１１５内の内容物Ｓを外気Ａに触れることなく安全に保管することができる。
【００３６】
以上、本発明の実施形態を詳述したが、本発明は上記実施形態に限定されるものではなく、特許請求の範囲に記載された本発明を逸脱することなく種々の設計変更を行うことが可能である。
なお、上述した実施形態では、注出容器は、口部及び胴部を有する容器上部と、底壁部及び底壁部の下端に接続された底面を有する底部で構成されているものとして説明したが、注出容器の構成はこれに限定されず、例えば、口部のみを容器上部とし、胴部と底壁部と底面とを底部として２部品に分けて構成してもよく、口部、胴部、底壁部を一体成形し、底面のみ別部品として構成してもよい。
また、上述した実施形態では、下部接続部は上部接続部と圧入嵌合することで、容器上部と底部との境界を隙間なく接続できるものとして説明したが、容器上部と底部との接続方法はこれに限定されず、例えば、容器上部の下端と底部の上端とを熱溶着によって接続してもよく、容器上部の下端と底部の上端とをネジ係合によって接続してもよい。
【００３７】
また、上述した実施形態では、注出アダプターは口部を介した注出容器の内外を連通する連通孔を有しているものとして説明したが、注出容器の内外を連通する方法はこれに限定されず、例えば、連通孔に内容物の逆流防止用の逆止弁を設けてもよく、注出アダプターに手動ポンプを設け、手動ポンプの操作で内容物を取り出す量を調節可能にしてもよい。
また、上述した実施形態では、注出容器内は、貯留室と、空気室とが設けられ、貯留室と空気室とは、薄いフィルム状に形成された隔離フィルムによって隔たれているものとして説明したが、貯留室と空気室とを隔てる方法はこれに限定されず、例えば、蛇腹状のダイヤフラムによって隔ててもよく、注出容器内に上下動可能なピストンを設け、貯留室及び空気室の容積が可変となるように構成してもよい。
【００３８】
また、上述した実施形態では、隔離フィルムは、隔離フィルムの中央を圧力板の天面に接続されているとともに、隔離フィルムの外周縁部を底壁部の底面からの立ち上がり部分に全周にわたって接続されているものとして説明したが、隔離フィルムの接続位置はこれに限定されず、例えば、圧力板に接続されていなくてもよく、隔離フィルムの外周縁部を胴部または底壁部に全周にわたって接続していてもよい。
また、上述した実施形態では、吸気弁は、吸気弁を閉栓方向へ付勢する閉塞バネを有しているものとして説明したが、吸気弁の付勢方法はこれに限定されず、例えば、板バネやゴム等の弾性部材を用いてもよい。
また、上述した実施形態では、底面の中央付近に上方に盛り上がった底面凸部が形成され、底面凸部の中心部には吸気孔が設けられ、吸気孔は吸気弁によって塞がれているものとして説明したが、底面の構成はこれに限定されず、例えば、吸気弁の誤操作を防ぐために、通気可能な保護カバーを底面にさらに設けてもよい。
【符号の説明】
【００３９】
１００  ・・・  注出容器
１１０  ・・・  容器上部
１１１  ・・・  口部
１１２  ・・・  注出口
１１３  ・・・  胴部
１１４  ・・・  下部接続部
１１５  ・・・  貯留室
１１６  ・・・  空気室
１１７  ・・・  隔離フィルム
１２０  ・・・  底部
１２１  ・・・  底壁部
１２２  ・・・  上部接続部
１２３  ・・・  底面
１２４  ・・・  底面凸部
１２５  ・・・  吸気孔
１２６  ・・・  吸気弁
１２７  ・・・  圧力板
１２８  ・・・  閉塞リング
１２９  ・・・  摺動部
１３０  ・・・  通気溝
１３１  ・・・  閉塞バネ（付勢部材）
１３２  ・・・  開口ボタン
１３３  ・・・  切欠き部
１３４  ・・・  押圧板
１３５  ・・・  係合筒部
１４０  ・・・  注出アダプター
１４１  ・・・  連通孔
１４２  ・・・  密閉栓
【図１】
2018122918.tif 000003
【図２】
2018122918.tif 000004
【図３】
2018122918.tif 000005
【図４】
2018122918.tif 000006
【図５】
2018122918.tif 000007
【図６】
2018122918.tif 000008
【図７】
2018122918.tif 000009